(57)【特許請求の範囲】
【請求項１】
表面材と、この表面材の裏面に貼り合わせた金属製の枠付面材とを備えた廃材を分解するための分解装置であって、枠付面材の枠部に係合した状態で回転することにより、枠付面材を巻き付けながら表面材から剥ぎ取る巻取り軸を備えたことを特徴とする廃材の分解装置。
【請求項２】
表面材と、この表面材の裏面に貼り合わせた金属製の枠付面材とを備えた廃材としての建築用の外壁パネルを分解するための分解装置であって、枠付面材の枠部に係合した状態で回転することにより、枠付面材を巻き付けながら表面材から剥ぎ取る巻取り軸を備えたことを特徴とする廃材の分解装置。
【請求項３】
巻取り軸は、廃材を設置する設置台の上方を横切るようにして配されたローラ部と、このローラ部に固定されたコ字形係止部とを備え、その係止部を、設置台上に設置された廃材の枠付面材のコ字形枠部に係合するようにした請求項１又は２記載の廃材の分解装置。
【発明の詳細な説明】
【０００１】
【発明の属する技術分野】
本発明は、不要となった建築用の外壁パネル等の廃材を分解する分解装置に関する。
【０００２】
【従来の技術】
一般に、不要となった建築用の外壁パネルは、工場等に一旦集められて、産業廃棄物としてそのままの状態で廃材処理業者に引き取ってもらっている。そして、この引き取りに際しては、トラックが利用されている。
【０００３】
【発明が解決しようとする課題】
しかしながら、外壁パネルには、コンクリート等からなる表面材、その表面材の裏面に固定された金属製の枠付面材、さらに枠付面材の枠内に配された断熱材や木骨等の複数の部材から構成されているものがあり、このような外壁パネルをそのままの状態でトラックに荷積みした場合、嵩張って積載効率が悪くなり、運搬コストの高騰を招いていた。
【０００４】
そこで、トラックにおける積載効率を高めるために、外壁パネルを分解して運搬することが考えられるが、断熱材や木骨については一般的な治具を用いて比較的容易に取り外すことができるものの、表面材と枠付面材は接着剤及びビスによって強固に固定されているので、簡単には分離することができなかった。このため、しかたなくこれら部材が組合わさった原形のままでトラックに積載して運搬しているのが現状である。
【０００５】
本発明は、上記の不具合を解消して、廃材を簡単に分解して、トラックにおける廃材の積載効率の向上及び廃材の再利用化を実現することができる廃材の分解装置の提供を目的とする。
【０００６】
【課題を解決するための手段】
上記課題を解決するため、本発明の分解装置は、表面材と、この表面材の裏面に貼り合わせた金属製の枠付面材とを備えた廃材を分解するためのものであって、枠付面材の枠部に係合した状態で回転することにより、枠付面材を巻き付けながら表面材から剥ぎ取る巻取り軸を備えたことを特徴とする。具体的には、建築用の外壁パネルを分解するようにしている。
【０００７】
また、巻取り軸は、廃材を設置する設置台の上方を横切るようにして配されたローラ部と、このローラ部に固定されたコ字形係止部とを備え、その係止部を、設置台上に設置された廃材の枠付面材のコ字形枠部に係合するようにしている。
【０００８】
【発明の実施の形態】
以下、本発明の実施形態を図面に基づいて詳細に説明する。図１は、本発明の一実施形態に係る廃材の分解装置の平面図、図２は、巻取り軸における係止部の斜視図、図３は、外壁パネルの斜視図、図４は、分解前の準備状態における外壁パネルの斜視図、図５は、分解装置における枠付面材の剥ぎ取り前の状態を示す図、図６は、同じくその枠付面材の剥ぎ取り途中の状態を示す図、図７は、同じくその枠付面材の剥ぎ取り後の状態を示す図である。
【０００９】
本発明の一実施形態に係る分解装置は、図１に示すように、廃材としての不要となった外壁パネル(１)を設置する設置台(２)と、この設置台(２)に取り付けられた巻取り軸(３)とを備えている。
【００１０】
設置台(２)には、複数の搬送ローラ(４)(４)…を備えた搬送路(５)(５)…が間隔をおいて３列設けられており、これら搬送路(５)(５)間に跨るようにして外壁パネル(１)を設置するようになっている。従って、同時に２枚の外壁パネル(１)(１)を設置することができるようになっている。
【００１１】
巻取り軸(３)は、設置台(２)の上方を横切るようにして配された金属製のローラ部(６)と、このローラ部(６)に軸方向に適宜間隔をおいて固定された複数の金属製の係止部(７)(７)…とからなる。
【００１２】
ローラ部(６)は、その一端が設置台(２)側方の軸受部(８)に回転自在に支持され、他端が軸受部(８)とは反対側の設置台(２)側方に設置された駆動モータ(９)に歯車機構を介して連結されている。また、係止部(７)(７)…は、図２に示すように、溝部分が軸方向と直角な方向に開放するようにコ字形に形成されている。
【００１３】
一方、廃材としての外壁パネル(１)は、図３に示すように、コンクリート等からなる方形の表面材(10)、この表面材(10)の裏面に接着材及びビスによって強固に固定された金属製の枠付面材(11)、この枠付面材(11)の枠内に配された断熱材(12)や図示しない木骨等から構成されている。
【００１４】
枠付面材(11)は、方形の金属板(15)の外周端部に方形枠状の枠部(16)を固着してなり、枠部(16)を構成する４本の枠材(20)(20)(21)(21)は、溝部分が外方向に開放するコ字形に形成されている。
【００１５】
次に、上記の分解装置を使用した外壁パネルの分解方法について説明する。まず、図４に示すように、不要となった外壁パネル(１)から断熱材(12)や木骨を一般的な治具を用いて取り外す。次に、枠付面材(11)の枠部(16)における４本の枠材(20)(20)(21)(21)のうち、互いに対向する２本の枠材(20)(20)を取り除いた後、残った枠材(21)(21)が軸方向と平行になるようにして外壁パネル(１)を設置台(２)上に設置する。
【００１６】
そして、図５に示すように、外壁パネル(１)を搬送ローラ(４)(４)…によって巻取り軸(３)のローラ部(６)をくぐるように搬送して、枠部(16)の枠材(21)を巻き取り軸(３)側の係止部(７)(７)…に係合させる。この状態で、図６に示すように、駆動モータ(９)を駆動させて巻取り軸(３)を回転させ、この巻取り軸(３)に枠付面材(11)を巻き付けながら表面材(10)から剥ぎ取っていく。このとき、表面材(10)は、剥ぎ取られる枠付面材(11)の引張力によって、自動的に送り出されることになる。また、表面材(10)は、巻取り軸(３)の下側を通るので、枠付面材(11)の剥ぎ取りとともに浮き上がることもない。枠付面材(11)を全部剥ぎ取ると、図７に示すように、枠付面材(11)は巻取り軸(３)に巻き付いたままで、表面材(10)だけが設置台(２)上に残ることになる。
【００１７】
なお、本発明は、上記実施形態に限定されるものではなく、本発明の範囲内で上記実施形態に多くの修正及び変更を加え得ることは勿論である。
【００１８】
【発明の効果】
以上の説明から明らかなように、本発明の分解装置を用いることで、表面材から枠付面材を容易に剥ぎ取って、廃材を簡単に分解することができ、表面材だけを廃材処理業者に引き取ってもらって、金属製の枠付面材を再利用に回すといった廃材処理を実現することができる。このため、廃材の引き取り量をトータル的に減らすことができるだけでなく、引き取りに際してのトラックに荷積みにおいても、嵩張りを抑えて積載効率を向上することができ、運搬コストの低減を含めた廃材処理に伴うコストを大幅に削減することができる。
【００１９】
また、巻取り軸は、廃材を設置する設置台の上方を横切るようにして配されたローラ部と、このローラ部に固定されたコ字形係止部とを備えているので、設置台上の設置した廃材を、巻取り軸のローラ部をくぐるように通して、この廃材のコ字形枠部と巻取り軸側のコ字形係止部とを係合させた状態で、巻取り軸を回転させることによって、枠付面材の剥ぎ取りに伴う表面材の浮き上がりをローラ部で防止しながら、表面材と枠付面材とを安全かつ確実に分離することができる。
【図面の簡単な説明】
【図１】本発明の一実施形態に係る廃材の分解装置の平面図である。
【図２】巻取り軸における係止部の斜視図である。
【図３】外壁パネルの斜視図である。
【図４】分解前の準備状態における外壁パネルの斜視図である。
【図５】分解装置における枠付面材の剥ぎ取り前の状態を示す図である。
【図６】同じくその枠付面材の剥ぎ取り途中の状態を示す図である。
【図７】同じくその枠付面材の剥ぎ取り後の状態を示す図である。
【符号の説明】
(１)  外壁パネル(廃材)
(２)  設置台
(３)  巻取り軸
(６)  ローラ部
(７)  係止部
(10)  表面材
(11)  枠付面材
(16)  枠部
【図１】
0003779108.tif 000002
【図２】
0003779108.tif 000003
【図３】
0003779108.tif 000004
【図４】
0003779108.tif 000005
【図５】
0003779108.tif 000006
【図６】
0003779108.tif 000007
【図７】
0003779108.tif 000008